(57)【特許請求の範囲】
【請求項１】
ケーシング（１０）の内部に先端部（１０２）を除く金属テープ（１０１）が出没可能に巻線されて内蔵された通常の巻尺（１００）において、
前記ケーシング（１０）の側面部から直角に延設された底面部（１２）に対して、一定の間隔をおいて設けられるスライド溝（１３ａ）および側面部から離隔する挿入隙間（１３ｂ）を有するガイド部（１３）が一体に形成され、
前記ガイド部（１３）の底面部にはねじ締結孔（１３ｃ）が設けられ、
ねじ締結孔（１３ｃ）の内側に案内されてガイド部（１３）内で一部分が突出支持されるロックボール（１４）、及び該ロックボール（１４）を弾力支持する圧縮バネ（１５）が案内され、
ロックボール（１４）および圧縮バネ（１５）の離脱を防止するレンチボルト（１６）が設置される構造で構成され、
前記ガイド部（１３）のスライド溝（１３ａ）および挿入隙間（１３ｂ）から一側が案内され、ケーシング（１０）から引き出された金属テープ（１０１）の目盛を用いて対象物に長さを表示するマーキング部材（２０）が備えられた
ことを特徴とする長さ表示機能付き巻尺。
【請求項２】
前記マーキング部材（２０）は、折曲形成される垂直部（２０−１）と水平部（２０−２）を有し、前記垂直部（２０−１）には、筆記具（Ｐ）を挟み込んで支持することが可能な挟み込みホルダー（２１）が設けられ、一側は前記ガイド部（１３）の挿入隙間（１３ｂ）に案内支持される案内顎部（２２）が設けられ、前記水平部（２０−２）には、ガイド部（１３）のスライド溝（１３ａ）に案内されてロックボール（１４）に選択的に支持される支持孔（２３）が複数設けられた
請求項１に記載の長さ表示機能付き巻尺。
【請求項３】
前記垂直部（２０−１）に設けられる挟み込みホルダー（２１）は、弧状からなる複数の弾力片が両側に対応して設けられ、前記弾力片が設けられた中間部の背面には、金属テープ（１０１）の目盛基準となる基準表示部（２４）が設けられた
請求項２に記載の長さ表示機能付き巻尺。
【発明の詳細な説明】
【技術分野】
【０００１】
本発明は、巻尺に係り、さらに詳しくは、対象物の長さを測定し、その測定された位置を正確に巻尺の使用と共に片手で表示して使用することができる、長さ表示機能付き巻尺に関する。
【背景技術】
【０００２】
周知の如く、巻尺は、家庭だけでなく、建設および産業現場で様々な目的の下に使用されており、使用の利便性のためにロール状に巻線されて一定の長さだけ本体からテープを引き出し、テープに表示された目盛を基準に物の長さを測定したり、長さの長い加工品（例えば、角材、鉄材などの副資材）の切断位置を表示したりするために使用される。
ほとんどの作業現場では、前記巻尺を始めとする多数の工具を携帯して作業する。
このため、サインペンや鉛筆などの筆記具を用いて、巻尺のテープを引き出した状態で所定の長さを表示し、使用後には引き出されたテープを本体に再び収納されるようにして携帯することができるようにした製品が用いられている。
【０００３】
巻尺に関連して対象物の長さを測って表示することができるようにした従来技術は、特許文献１に開示されている。
前記従来技術は、図１に示すように、長さを測定する金属テープ１０１を内蔵した通常の巻尺１００において、合成樹脂製の外部ケース１０の一側面の下部から一側方向に突出させた治工具突出本体２０と、前記治工具突出本体２０の側面にローレット加工によって設けられた切削板２５と、前記金属テープ１０１が出入りする入口の一側の前記治工具突出本体２０に形成した挿入凹溝面３０に挿入させてボルトで締結することにより測定距離を表示するように備えられる標識切断尖刃２６と、先端部を面取り面２７に加工し、下端部は傾斜刃２８に加工するようにする切断刀２３とが一体に形成されることを特徴としている。
前記金属テープには直角に折曲形成された先端部１０２が設けられ、前記切断刀には深さを測定することができるルーラー２９が表示される。
前記標識切断尖刃２６は、一側面を上端部から下端頂点３５まで垂直線状にし、板状をしており、外側後方から前方へ下端頂点３５まで傾斜して尖るように設けた。標識切断尖刃２６には結合孔３２が穿設されている。
【０００４】
上述したような構造で構成された従来の巻尺は、使用上、標識切断尖刃２６が鋭い形状に突出して結合されており、巻尺を用いた対象物の長さを測る過程で当該位置の長さ部分に対するマーキングには有利である利点があるものの、巻尺を取り扱う過程で傷害を被るおそれがあるという問題点があり、 標識切断尖刃が屈曲または破損した場合には交換しなければならない煩わしさがある。
【先行技術文献】
【特許文献】
【０００５】
【特許文献１】韓国登録特許第１０−１３９８６８９号（名称：多用途ツールを一体にした改良巻尺）
【発明の概要】
【発明が解決しようとする課題】
【０００６】
本発明は、かかる従来の諸般問題点を解決するために案出されたものであって、その目的は、対象物の長さを測定し、その測定された位置を正確に巻尺の使用と共に片手で表示して使用することができる、長さ表示機能付き巻尺を提供することを課題とする。
【課題を解決するための手段】
【０００７】
上記目的を達成するための本発明によれば、ケーシングの内部に先端部を除く金属テープが出没可能に巻線されて内蔵された通常の巻尺において、前記ケーシングの側面部から直角に延設された底面部に対して、一定の間隔をおいて設けられるスライド溝および側面部から離隔する挿入隙間を有するガイド部が一体に形成され、前記ガイド部の底面部にはねじ締結孔が設けられ、ねじ締結孔の内側に案内されてガイド部内で一部分が突出して支持されるロックボール、及び該ロックボールを弾力支持する圧縮バネが案内され、ロックボール及び圧縮バネの離脱を防止するレンチボルトが設置される構造で構成され、前記ガイド部のスライド溝および挿入隙間から一側が案内され、ケーシングから引き出された金属テープの目盛を用いて対象物に長さを表示するマーキング部材が備えられたことを特徴とする。
【０００８】
本発明による前記マーキング部材は、折曲形成される垂直部と水平部を有するが、前記垂直部には、筆記具を挟み込んで支持することが可能な挟み込みホルダーが設けられ、一側は前記ガイド部の挿入隙間に案内支持される案内顎部が設けられ、前記水平部には、ガイド部のスライド溝に案内されてロックボールに選択的に支持される支持孔が複数設けられることを特徴とする。
【０００９】
本発明による前記垂直部に設けられる挟み込みホルダーは、弧状からなる複数の弾力片が両側に対応して設けられ、前記弾力片が設けられた中間部の背面には、金属テープの目盛基準となる基準表示部が設けられたことを特徴とする。
【発明の効果】
【００１０】
本発明による巻尺は、ケーシングの側部から金属テープが引き出される方向にマーキング部材を引き出し、ここに筆記具を装着して、引き出された金属テープの当該目盛に正確に一致させて対象物の長さ部分に対する位置を標識させ、未使用の際には再びケースの側部側に位置させて使用することにより、片手でも巻尺の引き出しおよび長さ表示が可能であるため、有用に現場で使用することができ、必要に応じてはマーキング部材を完全に巻尺から分離させて既存の巻尺の形でも並行使用することができる。
【図面の簡単な説明】
【００１１】
【図１】従来の巻尺の主要構成が適用された状態を示す斜視図
【図２】本発明の巻尺およびマーキング部材を分離して示す斜視図
【図３】本発明による巻尺にマーキング部材および筆記具を結合して示す斜視図
【図４】本発明によるマーキング部材が巻尺から金属テープと共に引き出された状態を示す斜視図
【図５】図４の状態を反対側からみて示す背面斜視図
【図６】本発明によるマーキング部材の水平部側の支持孔が巻尺のガイド部のロックボールに案内支持された状態を例示する部分断面図
【発明を実施するための形態】
【００１２】
上記目的の他に、本発明の他の目的および特徴は、添付図面を参照した実施例についての説明によって明らかになる。
特に他に定義しない限り、技術用語や科学用語を含んでここで使われるすべての用語は本発明の属する技術分野における通常の知識を有する者によって一般的に理解されるものと同じ意味を持っている。一般的に使われる辞典に定義されている用語は、関連技術の文脈上で持つ意味と一致する意味を持つものと解釈されなければならず、本明細書で明らかに定義しない限り、理想的な意味または過度に形式的な意味に解釈されない。
以下、本発明の実施例に係る巻尺を添付図面に基づいてさらに具体的に説明する。
【００１３】
本発明は、ケーシング１０の内部に先端部１０２を除く金属テープ１０１が出没可能に巻線されて内蔵された通常の巻尺１００において、前記ケーシング１０の側面部から直角に延設された底面部１２に対して、一定の間隔をおいて設けられるスライド溝１３ａおよび側面部から離隔する挿入隙間１３ｂを有するガイド部１３が一体に形成され、前記ガイド部１３の底面部１２にはねじ締結孔１３ｃが設けられるが、ねじ締結孔１３ｃの内側に案内されてガイド部１３内で一部分が突出して支持されるロックボール１４、及び該ロックボール１４を弾力支持する圧縮バネ１５が案内され、ロックボール１４および圧縮バネ１５の離脱を防止するレンチボルト１６が設置される構造で構成され、前記ガイド部１３のスライド溝１３ａおよび挿入隙間１３ｂから一側が案内され、ケーシング１０から引き出された金属テープ１０１の目盛を用いて対象物に長さを表示するマーキング部材２０が備えられた構造である。
【００１４】
前記マーキング部材２０は、折曲形成される垂直部２０−１と水平部２０−２を有するが、前記垂直部２０−１には、筆記具Ｐを挟み込んで支持することが可能な挟み込みホルダー２１が設けられ、一側は前記ガイド部１３の挿入隙間１３ｂに案内支持される案内顎部２２が設けられ、前記水平部２０−２には、ガイド部１３のスライド溝１３ａに案内されてロックボール１４に選択的に支持される支持孔２３が複数設けられる。
前記垂直部２０−１に設けられる挟み込みホルダー２１は、弧状からなる複数の弾力片が両側に対応して設けられ、前記弾力片が設けられた中間部の背面には、金属テープ１０１の目盛基準となる基準表示部２４が設けられる。
前記ガイド部１３は、ケーシング１０の素材と同一の合成樹脂素材で形成するか、或いは別途の金属板を加工してケーシングの射出成形時に適用することができる。
前記基準表示部２４は、自体的に一字状に陰刻処理するか、或いは消えないように印刷処理することが好ましい。
【００１５】
次に、このように構成された本発明の巻尺の使用に伴う作用を説明する。
まず、長さを測ろうとする対象物には、通常の使用法と同様に、金属テープ１０１の先端部１０２を引っ掛けてケーシング１０から必要な分以上に引き出して長さを測るか、或いは、切断しようとする部分に切断位置などをマーキングしておくか、或いは、その他の位置表示をすることができる。
前記ケーシング１０側にスライド可能に適用されたマーキング部材２０の垂直部２０−１の挟み込みホルダー２１にはマーキングするためのペンや鉛筆などの筆記具Ｐを装着した状態で、前記金属テープ１０１の引き出し時にマーキング部材２０をガイド部１３から移動させる。
【００１６】
上述の如く、マーキング部材２０はケーシング１０の側面部１１と底面部１２に沿って移動するが、ガイド部１３のスライド溝１３ａおよび挿入隙間１３ｂからマーキング部材２０の水平部２０−２を強圧的に移動させるとき、水平部２０−２に設けられた支持孔２３は、前記ガイド部１３側のネジ締結孔１３ｃに設置されたロックボール１４に対して強圧的に離脱し、図６に示すように、ロックボール１４に対する支持孔２３の位置が入れ替わってロックボールが支持孔に係止される。
巻尺１００を使用する作業者は、前記金属テープ１０１を必要な分だけ引き出し、自分が設定した目盛に合わせられた状態で前記筆記具Ｐを用いてマーキングする。
【００１７】
上述のようなマーキング状態をより詳しく説明すれば、金属テープ１０１に表示されている目盛（例えば、３０センチの位置）と、マーキング部材２０の垂直部２０−１の背面に設けられた基準表示部２４とを一致させた状態で、筆記具Ｐを押して先端部分によって点を打つか、或いは肉眼で確認可能な線を表示して位置を表示することができる。
前述したような作業は、作業者が片手で対象物の端部に金属テープの先端部１０２を引っ掛けて引っ張る動作の下で、前記ケーシング１０内に巻線された金属テープを必要な長さに引き出し、肉眼で設定された目盛と前記基準表示部２４とが一致するかを確認した後、巻尺を握っている状態で親指と人差し指を用いて位置（長さの確認）マーキングを行うことができる。
したがって、巻尺１００の使用の際に、別途のマーキングペン或いは筆記具を一方の手で持ち、もう一方の手で金属テープの引き出し作業を行う通常的な従来の巻尺の使い方に比べて利便性を提供する。
【００１８】
上述したような方式で位置マーキングがなされた状態或いは未使用の際には、通常の巻尺を使用する方法のように金属テープを再びケーシングの内部に進入させて巻線させ、前記マーキング部材は、ガイド部を起点としてケーシング側へ案内させる。前述したような状態でロックボール１４に対してマーキング部材２０の水平部２０−２側の支持孔２３が再び支持される状態が、マーキング部材を支持する。
前記マーキング部材２０は、筆記具Ｐの着脱だけでなく、マーキング部材２０をケーシング１０から離隔させて完全に分離することができるもので、必要に応じては前記マーキング部材を分離して使用することもできる。
【００１９】
以上の如く、本発明では具体的な構成要素などの特定の事項と限られた実施例および図面によって説明されたが、これは、本発明のより全般的な理解を助けるために提供されたものに過ぎない。本発明はこれらの実施例に限定されるものではなく、本発明の属する分野における通常の知識を有する者であれば、このような記載から多様な修正及び変形が可能である。
よって、本発明の思想は、説明された実施例に限定されて定められてはならず、後述する請求の範囲だけでなく、この請求の範囲と均等または等価的な変形があるあらゆるものは本発明の思想の範疇に属する。
【図１】
0006543339.tif 000002
【図２】
0006543339.tif 000003
【図３】
0006543339.tif 000004
【図４】
0006543339.tif 000005
【図５】
0006543339.tif 000006
【図６】
0006543339.tif 000007